(57)【要約】【課題】送信又は受信に要する時間をより短くすることができる。【解決手段】ＦＡＸ装置２０は、送信先がリアルタイム通信方式であるときにはＴ．３８データを、原稿を読み取って生成した画像データに基づいてアナログデータを介さずに生成し、この生成したＴ．３８データを送信先へ送信する一方、送信先がみなし音声通信方式であるときにはＧ．７１１データを、原稿を読み取って生成した画像データに基づいてアナログデータを介さずに生成し、この生成したＧ．７１１データを送信先へ送信する。一般的にアナログデータを介してデータを送受信する場合は送信速度の制約が大きいが、ＦＡＸ装置２０は、アナログデータを介さずにデータを送信する。また、ＦＡＸ装置２０は、同報送信が選択されると、１つの画像データを並行して各々の送信先へ送信処理する。【選択図】図１
2008283610.tif 000002
【特許請求の範囲】
【請求項１】
原稿を読み取ってデジタルデータである画像データを生成する画像データ生成手段と、
デジタルデータを送受信可能な情報送受信手段と、
パケットにより送信先とのデータのやり取りを実行するリアルタイム通信方式で用いる第１デジタルデータを前記画像データ生成手段により生成した画像データに基づいてアナログデータを介さずに生成する第１データ生成手段と、
パケットにより送信先とのデータのやり取りを実行するみなし音声通信方式で用いる第２デジタルデータを前記画像データ生成手段により生成した画像データに基づいてアナログデータを介さずに生成する第２データ生成手段と、
送信先がリアルタイム通信方式により通信する旨の情報が前記情報送受信手段によって受信されたときには前記第１データ生成手段に前記第１デジタルデータを生成させ前記情報送受信手段に該生成した第１デジタルデータを前記送信先へ送信させる一方、送信先がみなし音声通信方式により通信する旨の情報が前記情報送受信手段によって受信されたときには前記第２データ生成手段に前記第２デジタルデータを生成させ前記情報送受信手段に該生成した第２デジタルデータを前記送信先へ送信させる制御手段と、
を備えたファクシミリ装置。
【請求項２】
請求項１に記載のファクシミリ装置であって、
送信先の情報を入力可能な送信先情報入力手段、を備え、
前記制御手段は、前記画像データ生成手段によって生成された前記画像データを前記送信先情報入力手段によって入力された複数の送信先へ送信する同報送信指示が前記送信先情報入力手段によって入力されたときには、該入力された複数の送信先の各々の通信方式に合わせた第１又は第２デジタルデータを前記第１又は第２データ生成手段に生成させ、該生成したデジタルデータを並行して前記情報送受信手段に該入力された複数の送信先の各々へ送信させる、ファクシミリ装置。
【請求項３】
前記第２データ生成手段は、第１デジタルデータをデジタル−デジタル変換して前記第２デジタルデータを生成可能であり、
前記制御手段は、前記情報送受信手段によって送信先がみなし音声通信方式である情報が受信されたときには、前記第１データ生成手段に前記第１デジタルデータを生成させ、該生成した第１デジタルデータから前記第２デジタルデータを前記第２データ生成手段に生成させる、請求項１又は２に記載のファクシミリ装置。
【請求項４】
前記第１データ生成手段は、前記第１デジタルデータから画像データをアナログデータを介さずに生成可能であり、
前記第２データ生成手段は、前記第２デジタルデータから画像データをアナログデータを介さずに生成可能であり、
前記制御手段は、送信元から前記第１デジタルデータを前記情報送受信手段が受信したときには前記受信した第１デジタルデータから画像データを前記第１データ生成手段に生成させる一方、送信元から前記第２デジタルデータを前記情報送受信手段が受信したときには前記受信した第２デジタルデータから画像データを前記第２データ生成手段に生成させる、請求項１〜３のいずれかに記載のファクシミリ装置。
【請求項５】
前記第２データ生成手段は、第２デジタルデータをデジタル−デジタル変換して前記第１デジタルデータを生成可能であり、
前記制御手段は、送信元から前記第２デジタルデータを受信したときには、該受信した第２デジタルデータから前記第１デジタルデータを前記第２データ生成手段に生成させ、該生成した第１デジタルデータから画像データを前記第１データ生成手段に生成させる、請求項３に記載のファクシミリ装置。
【請求項６】
パケットにより送信先とのデータのやり取りを実行するリアルタイム通信方式で用いる第１デジタルデータを原稿を読み取って生成したデジタルデータである画像データに基づいてアナログデータを介さずに生成する第１データ生成手段と、パケットにより送信先とのデータのやり取りを実行するみなし音声通信方式で用いる第２デジタルデータを原稿を読みとって生成した画像データに基づいてアナログデータを介さずに生成する第２データ生成手段と、を備えたファクシミリ装置の制御方法であって、
（ａ）送信先がリアルタイム通信方式であるときには前記第１データ生成手段に前記第１デジタルデータを生成させ該生成した第１デジタルデータを前記送信先へ送信するステップと、
（ｂ）送信先がみなし音声通信方式であるときには前記第２データ生成手段に前記第２デジタルデータを生成させ該生成した第２デジタルデータを前記送信先へ送信するステップと、
を含むファクシミリ装置の制御方法。
【請求項７】
請求項６に記載のファクシミリ装置の制御方法の各ステップを１又は複数のコンピュータに実現させるためのプログラム。
【発明の詳細な説明】
【技術分野】
【０００１】
本発明は、ファクシミリ装置、その制御方法及びプログラムに関する。
【背景技術】
【０００２】
従来、ファクシミリ装置としては、公衆電話回線経由のＦＡＸ送受信（Ｔ．３０通信）とＩＰ網を経由したＦＡＸ送受信（Ｔ．３８通信）を実行可能なものが提案されている（例えば、特許文献１参照）。この特許文献１に記載された装置は、送信相手が公衆電話回線による送受信しかサポートしていないときには、Ｔ．３０通信用のデジタルデータからＦＡＸモデムによりアナログデータを生成して相手先へ送信し、送信相手がＩＰ網による送受信に対応しているときには、Ｔ．３０通信用のデジタルデータからＦＡＸモデムにより生成したアナログデータをコーデックによりデジタル変換し、この変換したデジタルデータを送信相手へ送信する。こうして、相手先に応じたファクシミリ通信を実行する。
【特許文献１】特開２００６−９４０２４号公報
【発明の開示】
【発明が解決しようとする課題】
【０００３】
しかしながら、この特許文献１に記載された装置では、ＩＰ網を経由したＦＡＸ送受信においてもＦＡＸモデムによりアナログデータに変換し、この変換したアナログデータをデジタルデータに変換してＩＰ網を介して送受信するため、アナログデータの通信速度の制約により送受信に要する時間を短くすることができなかった。
【０００４】
本発明は、このような課題に鑑みなされたものであり、送信又は受信に要する時間をより短くすることができるファクシミリ装置、その制御方法及びプログラムを提供することを目的とする。
【課題を解決するための手段】
【０００５】
本発明は、上述の目的を達成するために以下の手段を採った。
【０００６】
本発明のファクシミリ装置は、
原稿を読み取ってデジタルデータである画像データを生成する画像データ生成手段と、
デジタルデータを送受信可能な情報送受信手段と、
パケットにより送信先とのデータのやり取りを実行するリアルタイム通信方式で用いる第１デジタルデータを前記画像データ生成手段により生成した画像データに基づいてアナログデータを介さずに生成する第１データ生成手段と、
パケットにより送信先とのデータのやり取りを実行するみなし音声通信方式で用いる第２デジタルデータを前記画像データ生成手段により生成した画像データに基づいてアナログデータを介さずに生成する第２データ生成手段と、
送信先がリアルタイム通信方式により通信する旨の情報が前記情報送受信手段によって受信されたときには前記第１データ生成手段に前記第１デジタルデータを生成させ前記情報送受信手段に該生成した第１デジタルデータを前記送信先へ送信させる一方、送信先がみなし音声通信方式により通信する旨の情報が前記情報送受信手段によって受信されたときには前記第２データ生成手段に前記第２デジタルデータを生成させ前記情報送受信手段に該生成した第２デジタルデータを前記送信先へ送信させる制御手段と、
を備えたものである。
【０００７】
このファクシミリ装置では、送信先がリアルタイム通信方式であるときにはリアルタイム通信方式で用いる第１デジタルデータを、原稿を読み取って生成した画像データに基づいてアナログデータを介さずに生成し、この生成した第１デジタルデータを送信先へ送信する一方、送信先がみなし音声通信方式であるときにはみなし音声通信方式で用いる第２デジタルデータを、原稿を読み取って生成した画像データに基づいてアナログデータを介さずに生成し、この生成した第２デジタルデータを送信先へ送信する。一般的に、アナログデータを介してデータを送信する場合は、送信速度の制約が大きい。ここでは、アナログデータを介さずにデータを送信するため、アナログデータを介してデータを送信先へ送信するものに比して、送信に要する時間をより短くすることができる。
【０００８】
本発明のファクシミリ装置は、送信先の情報を入力可能な送信先情報入力手段、を備え、前記制御手段は、前記画像データ生成手段によって生成された前記画像データを前記送信先情報入力手段によって入力された複数の送信先へ送信する同報送信指示が前記送信先情報入力手段によって入力されたときには、該入力された複数の送信先の各々の通信方式に合わせた第１又は第２デジタルデータを前記第１又は第２データ生成手段に生成させ、該生成したデジタルデータを並行して前記情報送受信手段に該入力された複数の送信先の各々へ送信させるものとしてもよい。一般に、読み取った画像データをアナログデータを介して送信する際には複数の送信先がある場合は順に送信処理を行う必要があり、いずれかの送信先で受信不能になると次以降の送信先への送信時間が遅くなることがある。ここでは、アナログデータを介さずにデジタルデータを送信先へ送信することからデータ送信を並行して実行可能であるため、複数の送信先に対してより迅速なデータ送信を行うことができる。
【０００９】
本発明のファクシミリ装置において、前記第２データ生成手段は、第１デジタルデータをデジタル−デジタル変換して前記第２デジタルデータを生成可能であり、前記制御手段は、前記情報送受信手段によって送信先がみなし音声通信方式である情報が受信されたときには、前記第１データ生成手段に前記第１デジタルデータを生成させ、該生成した第１デジタルデータから前記第２デジタルデータを前記第２データ生成手段に生成させるものとしてもよい。こうすれば、見なし音声通信方式に比して送信速度の制約の小さなリアルタイム通信方式のデータ送信を主とすることにより、送信に要する時間をより短くしやすい。
【００１０】
本発明のファクシミリ装置において、前記第１データ生成手段は、前記第１デジタルデータから画像データをアナログデータを介さずに生成可能であり、前記第２データ生成手段は、前記第２デジタルデータから画像データをアナログデータを介さずに生成可能であり、前記制御手段は、送信元から前記第１デジタルデータを前記情報送受信手段が受信したときには前記受信した第１デジタルデータから画像データを前記第１データ生成手段に生成させる一方、送信元から前記第２デジタルデータを前記情報送受信手段が受信したときには前記受信した第２デジタルデータから画像データを前記第２データ生成手段に生成させるものとしてもよい。こうすれば、受信したデータを、受信速度の制約が大きなアナログデータを介さずに画像データへ変換するため、受信したデータをアナログデータを介して画像データへ変換するものに比して、受信に要する時間をより短くすることができる。
【００１１】
本発明のファクシミリ装置において、前記第２データ生成手段は、第２デジタルデータをデジタル−デジタル変換して前記第１デジタルデータを生成可能であり、前記制御手段は、送信元から前記第２デジタルデータを受信したときには、該受信した第２デジタルデータから前記第１デジタルデータを前記第２データ生成手段に生成させ、該生成した第１デジタルデータから画像データを前記第１データ生成手段に生成させるものとしてもよい。こうすれば、見なし音声通信方式に比して受信速度の制約の小さなリアルタイム通信方式のデータ受信を主とすることにより、受信に要する時間をより短くしやすい。
【００１２】
本発明のファクシミリ装置の制御方法は、
パケットにより送信先とのデータのやり取りを実行するリアルタイム通信方式で用いる第１デジタルデータを原稿を読み取って生成したデジタルデータである画像データに基づいてアナログデータを介さずに生成する第１データ生成手段と、パケットにより送信先とのデータのやり取りを実行するみなし音声通信方式で用いる第２デジタルデータを原稿を読みとって生成した画像データに基づいてアナログデータを介さずに生成する第２データ生成手段と、を備えたファクシミリ装置の制御方法であって、
（ａ）送信先がリアルタイム通信方式であるときには前記第１データ生成手段に前記第１デジタルデータを生成させ該生成した第１デジタルデータを前記送信先へ送信するステップと、
（ｂ）送信先がみなし音声通信方式であるときには前記第２データ生成手段に前記第２デジタルデータを生成させ該生成した第２デジタルデータを前記送信先へ送信するステップと、
を含むものである。
【００１３】
このファクシミリ装置の制御方法では、送信先がリアルタイム通信方式であるときにはリアルタイム通信方式で用いる第１デジタルデータを、原稿を読み取って生成した画像データに基づいてアナログデータを介さずに生成し、この生成した第１デジタルデータを送信先へ送信する一方、送信先がみなし音声通信方式であるときにはみなし音声通信方式で用いる第２デジタルデータを、原稿を読み取って生成した画像データに基づいてアナログデータを介さずに生成し、この生成した第２デジタルデータを送信先へ送信する。一般的に、アナログデータを介してデータを送信する場合は、送信速度の制約が大きい。ここでは、アナログデータを介さずにデータを送受信するため、アナログデータを介してデータを送信先へ送信するものに比して、送信に要する時間をより短くすることができる。なお、このファクシミリ装置の制御方法において、上述したファクシミリ装置の種々の態様を採用してもよいし、また、上述したファクシミリ装置の各機能を実現するようなステップを追加してもよい。
【００１４】
本発明のプログラムは、上述したファクシミリ装置の制御方法の各ステップを１又は複数のコンピュータに実現させるためのものである。このプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムを一つのコンピュータに実行させるか又は複数のコンピュータに各ステップを分担して実行させれば、上述したファクシミリ装置の制御方法の各ステップが実行されるため、該制御方法と同様の作用効果が得られる。
【発明を実施するための最良の形態】
【００１５】
次に、本発明を実施するための最良の形態を図面を用いて説明する。図１は、本発明の一実施形態であるＦＡＸシステム１０の構成の概略を示す構成図である。本実施例のＦＡＸシステム１０は、ＬＡＮ１２に接続されインターネット１６を介してＦＡＸデータを送受信するＦＡＸ装置２０と、インターネット１６に接続されＦＡＸの送信先を管理する情報管理装置としてのＳＩＰ（Ｓｅｓｓｉｏｎ  Ｉｎｉｔｉａｔｉｏｎ  Ｐｒｏｔｏｃｏｌ）サーバ４０と、インターネット１６に接続されたＦＡＸ装置５０，５２，５４と、によって構成されている。このＬＡＮ１２には、ユーザパソコン（ＰＣ）３７や図示しないユーザＰＣ，プリンタ３８や図示しない他のプリンタなどが接続されている。
【００１６】
ＦＡＸ装置２０は、各種制御を実行するＣＰＵ２２と、各種処理プログラムを記憶したＲＯＭ２３と、データを一時的に記憶するＲＡＭ２４と、記録紙に画像を印刷する印刷機構２５と、記録紙上の画像を読み取る読取機構２６と、ＬＡＮ１２と接続され外部機器との間で信号の送受信が可能なネットワークインタフェース（Ｉ／Ｆ）２７と、ユーザが各種の指示を入力する操作パネル２８と、を備えている。このＣＰＵ２２は、バス２９によって情報のやり取りが可能なように印刷機構２５や読取機構２６などと接続されている。ＲＡＭ２４には、印刷機構２５に印刷させる画像データを一時的に記憶する印刷バッファや読取機構２６により読み取られた画像データを一時的に記憶するスキャナバッファ、ＦＡＸ通信に用いるデジタルデータ（以下ＦＡＸデータともいう）を一時的に記憶する通信用バッファなど複数の領域が設けられている。印刷機構２５は、単一感光体方式と中間転写方式とを採用したフルカラーの電子写真方式の印刷装置として構成されており、シアン（Ｃ）、マゼンタ（Ｍ）、イエロー（Ｙ）、ブラック（Ｋ）の４色に色分解された各色ごとの画像の静電潜像をトナー像として現像し、記録紙に転写し加熱溶着させるものである。読取機構２６は、ガラス面に載置された原稿である記録紙に向かって光を照射した後の反射光をラインイメージセンサによりレッド（Ｒ）、グリーン（Ｇ）、ブルー（Ｂ）の各色に分解してデジタルのスキャンデータ（画像データ）を生成する、いわゆるラインイメージセンサを走査して原稿を読み取るフラットベッド型のスキャナとして構成されている。操作パネル２８は、ユーザがＦＡＸ装置２０に対して各種の指示を入力するためのデバイスであり、各種の指示に応じた文字、図形及び記号が表示される液晶ディスプレイである表示部２８ａや、表示部２８ａに表示されたカーソルを移動するカーソルキーや入力内容を決定する決定キー、ＦＡＸ番号を入力するテンキーなどを含み各種操作を入力する操作部２８ｂが設けられている。Ｉ／Ｆ２７は、ＬＡＮ１２を介してルータ１４と接続されており、このルータ１４が接続された光回線１５を介してインターネット１６に接続可能となっている。
【００１７】
また、このＦＡＸ装置２０は、ＦＡＸデータの送受信機能として、読取機構２６により生成されたデジタルのスキャンデータとＩＴＵ−Ｔ勧告のＦＡＸデータであるＴ．３０方式のデジタルデータ（以下Ｔ．３０データという）とを相互に変換するＴ．３０画像データ変換部３２と、Ｔ．３０データとＩＴＵ−Ｔ勧告のＴ．３８通信方式のデジタルデータ（以下Ｔ．３８データという）とを相互に変換するコーデックとしてのＴ．３８データ変換部３３と、Ｔ．３８データとＩＴＵ−Ｔ勧告のＧ．７１１符号化方式によるデジタルデータ（以下Ｇ．７１１データという）とを相互に変換するコーデックとしてのＧ．７１１Ｄ／Ｄ（デジタル／デジタル）変換部３４と、呼制御用のＳＩＰパケットを生成しＳＩＰサーバ４０と情報のやりとりを実行して通信相手との接続を行う呼設定制御部３５と、ユーザからの送信指令に基づきスキャンデータと送信先とを対応づけた情報を管理するジョブ管理部３６と、を備えている。Ｔ．３８データ変換部３３は、スキャンデータからＴ．３８データへの変換やＴ．３８データから画像データへの変換をアナログデータを介さずに行い、リアルタイム通信方式でデジタルデータを通信相手とやり取りするＴ．３８ゲートウェイの機能を有している。Ｇ．７１１Ｄ／Ｄ変換部３４は、Ｔ．３８データからＧ．７１１データへの変換やＧ．７１１データからＴ．３８データへの変換をアナログデータを介さずに行い、みなし音声通信方式でデジタルデータを通信相手とやり取りするＶｏＩＰゲートウェイの機能を有している。このＧ．７１１Ｄ／Ｄ変換部３４は、Ｔ．３８データに含まれるＴ．３０データとＧ．７１１データに含まれるＴ．３０データとを対応付けた変換テーブルを備えている。このＦＡＸ装置２０では、ユーザが操作部２８ｂを操作して送信指令を入力すると、読取機構２６がスキャンデータを生成し、呼設定制御部３５が送信先の情報を取得すると共に送信先との接続処理を実行し、Ｔ．３０画像データ変換部３２がＴ．３０データを生成し、このＴ．３０データから送信先の通信方式に合わせて、Ｔ．３８データを生成するか、又はＴ．３８データを介してＧ．７１１データを生成し、生成したデータをパケット単位でＩ／Ｆ２７により送信先へ送信出力する。このように、ＦＡＸ装置２０では、アナログデータを介さずに通信用のデジタルデータを生成するのである。
【００１８】
ＳＩＰサーバ４０は、電話番号管理サーバとしての機能を有しており、インターネット１６に直接又はＬＡＮ１２などを介して接続されている端末同士の通信接続を行うサーバであり、各種制御を実行するＣＰＵ４２と、各種制御プログラムを記憶するＲＯＭ４３と、データを一時記憶するＲＡＭ４４と、各種アプリケーションプログラムや各種データファイルを記憶する大容量メモリであるＨＤＤ４５と、ＬＡＮ１２に接続された外部機器との間で信号の送受信が可能なＩ／Ｆ４６とを備えている。このＣＰＵ４２は、図示しないバスによって情報のやり取りが可能なようにＨＤＤ４５やＩ／Ｆ４６などと接続されている。このＳＩＰサーバ４０は、インターネット１６を介してＦＡＸ装置２０，５０，５２，５４などとデータを送受信する際には、ＲＡＭ４４の所定領域に設けられた受信バッファ及び送信バッファを利用して行う。ＨＤＤ４５には、電話番号（ＦＡＸ番号）と端末のアドレスと端末の機能についての情報（例えば利用可能な通信方式など）を対応づけた送信先対応情報４５ａが記憶されている。ＳＩＰサーバ４０は、この送信先対応情報４５ａを利用し、図示しない他のＳＩＰサーバなどと情報のやりとりを行い送信先（例えばＦＡＸ装置５０）のアドレスを特定すると共に送信元（例えばＦＡＸ装置２０）と送信先との接続を実行する。
【００１９】
ＦＡＸ装置５０は、Ｔ．３８通信方式によりリアルタイムでＦＡＸデータの送受信を実行するＴ．３８ＦＡＸ装置として構成されている。このＦＡＸ装置５０は、図示しないネットワークインタフェース（Ｉ／Ｆ）によりインターネット１６と接続されている。ＦＡＸ装置５２は、ＦＡＸモデムを備えたＧ３対応ＦＡＸ装置として構成されている。このＦＡＸ装置５２は、Ｔ．３８ゲートウェイ５１と接続されており、Ｔ．３８ゲートウェイ５１が接続された光回線１７を介してインターネット１６と接続可能となっている。ＦＡＸ装置５４は、ＦＡＸモデムを備えたＧ３対応ＦＡＸ装置として構成されている。このＦＡＸ装置５４は、ＶｏＩＰゲートウェイ５３と接続されており、ＶｏＩＰゲートウェイ５３が接続されたＡＤＳＬなどのＩＰ回線１８を介してインターネット１６と接続可能となっている。なお、ＦＡＸ装置５０，５２，５４は、制御部としてのＣＰＵ，ＲＯＭ，ＲＡＭや印刷機構、読取機構の構成についてはＦＡＸ装置２０と同様であるため、その説明を省略する。
【００２０】
次に、こうして構成された本実施形態のＦＡＸシステム１０の動作について、まず、ユーザがＦＡＸデータを送信する動作について説明する。図２は、ＦＡＸ装置２０のＣＰＵ２２により実行されるＦＡＸ送信先設定送信実行処理ルーチンの一例を表すフローチャートである。このルーチンは、ＲＯＭ２３に記憶され、ＦＡＸ装置２０が起動したあと繰り返し実行される。このルーチンが実行されると、ＣＰＵ２２は、まず、ＦＡＸデータの送信指令がされたか否かを判定し（ステップＳ１００）、ＦＡＸデータの送信指令がなされていないときにはそのまま待機する。ここで、送信指令の判定は、表示部２８ａに表示されたＦＡＸ送信先設定画面８０で送信実行ボタンが押下されたか否かに基づいて行うものとした。図３は、表示部２８ａに表示されるＦＡＸ送信先設定画面８０の説明図である。このＦＡＸ送信先設定画面８０には、設定項目を選択可能なカーソル８１と、設定項目としての送信先が１つである通常送信か同じデータを複数の送信先へ送信する同報送信かを設定可能な送信モード入力部８２と、現在送信先として設定されているＦＡＸ番号を表示する送信先表示部８３などが含まれている。ユーザは、操作部２８ｂを操作し必要な情報をＦＡＸ送信先設定画面８０に入力する。情報が入力されると、ＣＰＵ２２はその内容をＲＡＭ２４に記憶する処理を行う。
【００２１】
ステップＳ１００でＦＡＸデータの送信指令があると判定されたときには、ＣＰＵ２２は、原稿の読取処理を実行しデジタルデータである画像データを生成するよう読取機構２６を駆動制御する（ステップＳ１１０）。読取処理は、読取機構２６により光を原稿に照射すると共に原稿で反射した光をラインイメージセンサで読み取り出力されたアナログ信号からデジタルの画像データであるスキャンデータを生成する処理を実行する。ここでは、画像データとしてＴＩＦＦデータを生成するものとした。次に、ＣＰＵ２２は、送信先と画像データとを対応づけてジョブ管理部３６にＦＡＸデータ管理情報２４ａへ記憶させる（ステップＳ１２０）。図４は、ＦＡＸデータ管理情報２４ａの説明図である。このＦＡＸデータ管理情報２４ａは、ＦＡＸの送信指令を行った順番を表すジョブ番号と、ＦＡＸデータと、このＦＡＸデータの送信先であるＦＡＸ番号とを含んでいる。送信モードとして通常送信が設定されているものでは１つのＦＡＸデータに対して１つの送信先のＦＡＸ番号が対応づけられ、送信モードとして同報送信が設定されているものでは１つのＦＡＸデータに対して複数のＦＡＸ番号が対応づけられている。次に、ＣＰＵ２２は、読み取った画像データからＴ．３０データをＴ．３０画像データ変換部３２に生成させる（ステップＳ１３０）。
【００２２】
次に、ＣＰＵ２２は、同報送信モードが選択されているか否かをＦＡＸ送信先設定画面８０に入力されＲＡＭ２４に記憶された情報に基づいて判定し（ステップＳ１４０）、同報送信モードでないとき、即ち通常送信モードであるときには、ステップＳ１５０〜Ｓ２００のＦＡＸ送信処理を実行する。具体的には、まず、ＣＰＵ２２は、呼設定制御部３５に呼設定処理を実行させる（ステップＳ１５０）。ここで、呼設定処理は、呼設定制御部３５に記憶されているＳＩＰサーバ４０のアドレスへＳＩＰパケットを送信し、送信先のＦＡＸ番号に対応するアドレス及び送信先のＦＡＸ装置の性能に関する情報、例えば利用可能な通信方式や通信速度などを受信する処理を行い、送信先と通信可能となるよう呼設定を行う。続いて、ＣＰＵ２２は、Ｔ．３０データからＴ．３８データをＴ．３８データ変換部３３に生成させる（ステップＳ１６０）。ここでは、Ｔ．３８データ変換部３３は、Ｔ．３０データを含むＩＦＰパケットのフォーマットとなるようＴ．３８データをアナログ信号を介さずに生成する。
【００２３】
続いて、ＣＰＵ２２は、送信先が対応している通信方式がＴ．３８データを用いるリアルタイム通信方式であるかＧ．７１１データを用いるみなし音声通信方式であるかを判定する（ステップＳ１７０）。送信先が対応している通信方式がみなし音声通信方式であるときには、Ｔ．３８データからＧ．７１１データへの変換をＧ．７１１Ｄ／Ｄ変換部３４に実行させる（ステップＳ１８０）。ここでは、Ｇ．７１１Ｄ／Ｄ変換部３４は、ＦＡＸモデムによりＴ．３０データからアナログ信号へ変調する変調方式ごとにＴ．３８データとＧ．７１１データとを対応づけた変換テーブルを記憶しており、送信先のＦＡＸモデムが対応する変調方式が与えられると、その変調方式に対応する変換テーブルを読み出し、この変換テーブルを用いて、Ｔ．３８データに含まれるＴ．３０データに相当する部分をＧ．７１１データへアナログ信号を介さずにデジタル／デジタル変換するものとした。
【００２４】
ステップＳ１８０のあと、または、ステップＳ１７０でＴ．３８データを用いるリアルタイム通信方式であるときには、送信先へＦＡＸデータを送信出力する（ステップＳ１９０）。ここで、Ｔ．３８データを送信出力するときには、呼設定制御部３５により設定された送信先へ、ＩＦＰパケットをＦＡＸデータとして送信先の受信速度に合わせた送信速度でＩ／Ｆ２７から送信する。また、Ｇ．７１１データを送信出力するときには、呼設定制御部３５により設定された送信先へ、送信元及び送信先のアドレスを格納したＩＰヘッダ、送受信に用いるポート番号を格納したＵＤＰヘッダ、ＩＰパケット番号を格納したＲＴＰヘッダ及びＦＡＸ画像を割り当てた音声データ（Ｔ．３０データ相当部分）を含むフォーマットのＩＰパケットをＦＡＸデータとして送信先の受信速度に合わせた送信速度でＩ／Ｆ２７から送信する。続いて、ＣＰＵ２２は、ＦＡＸデータの送信がすべて終了したか否かを判定し（ステップＳ２００）、ＦＡＸデータの送信が終了していないときには、送信処理を継続し、ＦＡＸデータの送信が終了したときには、呼設定を解除し、このルーチンを終了する。
【００２５】
一方、ステップＳ１４０で同報送信モードが選択されているときには、送信先ごとにステップＳ１５０〜Ｓ２００のＦＡＸ送信処理を起動し（Ｓ２１０）、すべてのＦＡＸ送信処理が終了するとこのルーチンを終了する。即ち、同報送信として入力された複数の送信先の各々の通信方式に合わせてＴ．３８データ又はＧ．７１１データをＴ．３８データ変換部３３またはＧ．７１１Ｄ／Ｄ変換部３４に生成させ、この生成したデジタルデータを並行してＩ／Ｆ２７から送信先の各々へパケット単位で送信する処理を行う。このとき、ＲＡＭ２４のリソースが確保可能な数だけ並行したＦＡＸ送信処理を実行するものとする。具体的には、Ｔ．３８データ通信に対応するＦＡＸ装置５０やＴ．３８ゲートウェイ５１に接続されたＧ３対応のＦＡＸ装置５２へＦＡＸデータを送信するときには、Ｔ．３８データを送信し、ＶｏＩＰゲートウェイ５３に接続されたＧ３対応のＦＡＸ装置５４へＦＡＸデータを送信するときには、Ｔ．３８データからＦＡＸ装置５４が対応する変調方式に合わせたＧ．７１１データを生成し、この生成したＧ．７１１データを送信するのである。なお、Ｔ．３８データもＧ．７１１データも受信可能なＦＡＸ装置（例えばＦＡＸ装置２０と同じ機能を有する装置）にＦＡＸデータを送信する際には、この送信先がアナログデータを介さずに受信処理可能である場合があることから、Ｔ．３８データを優先的に生成して送信するものとした。こうすれば、ＦＡＸ通信に要する時間をより短くする可能性が高まる。また、複数の送信先にＦＡＸデータを送信するに際して、例えば通信方法が同じ送信先が複数あるときには、これらの送信先に対してＦＡＸデータを重複して用いるものとしてもよい。このように、アナログデータを介さずにＦＡＸデータを生成し、送信先へ送信するのである。このため、ＦＡＸモデムでのアナログデータへの変換や１対１での通信などによる制約がなく、複数の送信先に対する同報送信を同時並行で実行可能である。
【００２６】
次に、ＦＡＸデータを受信する動作について説明する。図５は、ＦＡＸ装置２０のＣＰＵ２２により実行されるＦＡＸ受信処理ルーチンの一例を表すフローチャートである。このルーチンは、ＲＯＭ２３に記憶され、ＦＡＸ装置２０が起動したあと所定のタイミングごと（例えば数ｍｓｅｃごと）に繰り返し実行される。このルーチンが実行されると、ＣＰＵ２２は、まず、ＦＡＸデータを受信したか否かを判定し（ステップＳ３００）、ＦＡＸデータを受信していないときにはそのままこのルーチンを終了する。なお、ＦＡＸデータを受信する際には、送信元からの接続要求により送信元が対応する通信方式に合わせて呼設定制御部３５が接続処理を行うものとした。
【００２７】
一方、ステップＳ３００でＦＡＸデータを受信したときには、受信したデータがＴ．３８データであるかＧ．７１１データであるかを判定する（ステップＳ３１０）。この判定は、呼設定制御部３５による接続設定や受信したＦＡＸデータのヘッダ情報などに基づいて行うことができる。受信したデータがＧ．７１１データであるときには、受信したＧ．７１１データからＴ．３８データへの変換をＧ．７１１Ｄ／Ｄ変換部３４に実行させる（ステップＳ３２０）。ここでは、Ｇ．７１１Ｄ／Ｄ変換部３４は、上述した変換テーブルを用いて、送信元のＦＡＸモデムが対応する変調方式が与えられると、その変調方式に対応する変換テーブルを読み出し、この変換テーブルを用いて、Ｇ．７１１データに含まれるＴ．３０データに相当する部分をＴ．３８データへアナログ信号を介さずにデジタル／デジタル変換するものとした。
【００２８】
ステップＳ３２０のあと、または、ステップＳ３１０で受信したデータがＴ．３８データであるときには、ＣＰＵ２２は、Ｔ．３８データからＴ．３０データをＴ．３８データ変換部３３に生成させ（ステップＳ３３０）、生成したＴ．３０データから画像データをＴ．３０画像データ変換部３２に生成させる（ステップＳ３４０）。次に、ＣＰＵ２２は、受信処理が終了したか否かを判定し（ステップＳ３５０）、受信処理が終了していないときには、ステップＳ３００以降の処理を実行する。即ち、複数の送信元からのＦＡＸデータを受信した際には、送信処理の場合と同様に、複数の送信元からのＦＡＸデータ受信処理を並行して行うものとした。このとき、ジョブ管理部３６は、受信中のいずれかのデータと送信元との情報を対応づけてＦＡＸデータ管理情報２４ａに登録するものとした。ステップＳ３５０でＦＡＸデータの受信処理が終了したときには、ＣＰＵ２２は印刷処理を実行するよう印刷機構２５を駆動制御し（ステップＳ３６０）、このルーチンを終了する。印刷処理は、印刷機構２５により、帯電させた感光体上に画像データに基づいて静電潜像を形成し、印加して帯電したトナーをこの静電潜像に付着させてトナー像を形成し、転写ベルトを介して各色のトナー像を重ね合わせ、この重ね合わせたトナー像を記録紙上に転写し、この記録紙を搬送させながら加熱，加圧し、このトナー像を記録紙の表面に定着させる処理を行う。なお、複数のＦＡＸデータを受信した場合は、受信が終了したＦＡＸデータから順に印刷処理を実行するものとした。
【００２９】
ここで、本実施形態の構成要素と本発明の構成要素との対応関係を明らかにする。本実施形態の読取機構２６が本発明の画像データ生成手段に相当し、Ｉ／Ｆ２７が情報送受信手段に相当し、Ｔ．３８データが第１デジタルデータに相当し、Ｔ．３８データ変換部３３が第１データ生成手段に相当し、Ｇ．７１１データが第２デジタルデータに相当し、Ｇ．７１１Ｄ／Ｄ変換部３４が第２データ生成手段に相当し、ＣＰＵ２２が制御手段に相当し、操作パネル２８が送信先情報入力手段に相当する。なお、本実施形態では、ＦＡＸ装置２０の動作を説明することにより本発明のファクシミリ装置の制御方法の一例も明らかにしている。
【００３０】
以上詳述した本実施形態のＦＡＸ装置２０によれば、送信先がリアルタイム通信方式であるときにはＴ．３８データを、原稿を読み取って生成した画像データに基づいてアナログデータを介さずに生成し、この生成したＴ．３８データを送信先へ送信する一方、送信先がみなし音声通信方式であるときにはＧ．７１１データを、原稿を読み取って生成した画像データに基づいてアナログデータを介さずに生成し、この生成したＧ．７１１データを送信先へ送信する。一般的に、ＦＡＸモデムを用いてアナログデータを介してデータを送受信する場合は、取り得る送信速度の最大値（例えば９．６ｋｂｐｓ）が決まっており制約が大きいが、ここでは、アナログデータを介さずにデータを送信するため、アナログデータを介してデータを送信先へ送信するものに比して、送信に要する時間をより短くすることができる。また、複数の送信先へ送信する同報送信指示が入力されたときには、この入力された複数の送信先の各々の通信方式に合わせたＦＡＸデータをＴ．３８データ変換部３３又はＧ．７１１Ｄ／Ｄ変換部３４に生成させ、この該生成したＦＡＸデータを並行して複数の送信先の各々へ送信させるため、一般に読み取った画像データをアナログデータを介して送信する際には複数の送信先がある場合は順に送信処理を行う必要がありいずれかの送信先で受信不能になると次以降の送信先への送信時間が遅くなることがあるが、ここでは、アナログデータを介さずにデジタルデータを送信先へ送信することからデータ送信を並行して実行可能であり、複数の送信先に対してより迅速なデータ送信を行うことができる。更に、Ｇ．７１１Ｄ／Ｄ変換部３４が、ＦＡＸ送信の際に、Ｔ．３８データをデジタル−デジタル変換してＧ．７１１データを生成するため、見なし音声通信方式に比して送信速度の制約の小さなリアルタイム通信方式のデータ送信を主として、送信に要する時間をより短くしやすい。更にまた、受信したデジタルデータをアナログデータを介さずに画像データへ変換するため、アナログデータを介して受信したデータを画像データへ変換するものに比して、受信に要する時間をより短くすることができる。このとき、Ｇ．７１１Ｄ／Ｄ変換部３４が、ＦＡＸ受信の際に、Ｇ．７１１データをデジタル−デジタル変換してＴ．３８データを生成するため、見なし音声通信方式に比して送信速度の制約の小さなリアルタイム通信方式のデータ受信を主として、受信に要する時間をより短くしやすい。そして、Ｔ．３８データ変換部３３及びＧ．７１１Ｄ／Ｄ変換部３４は、Ｔ．３０画像データ変換部３２に対してＴ．３８データを入出力するため、Ｔ．３８通信方式に対応する既存のＦＡＸ装置へＴ．３８データ変換部３３やＧ．７１１Ｄ／Ｄ変換部３４を搭載しやすい。
【００３１】
なお、本発明は上述した実施形態に何ら限定されることはなく、本発明の技術的範囲に属する限り種々の態様で実施し得ることはいうまでもない。
【００３２】
例えば、上述した実施形態では、画像データ（Ｔ．３０データも含む）とみなし音声通信方式のデータ（Ｇ．７１１データ）との変換を、リアルタイム通信方式のデータ（Ｔ．３８データ）を介してＴ．３８データ変換部３３及びＧ．７１１Ｄ／Ｄ変換部３４により行うものとしたが、リアルタイム通信方式のデータを介さずに画像データとみなし音声通信方式のデータとを直接変換するものとしてもよい。あるいは、画像データとリアルタイム通信方式のデータとの変換は、画像データとリアルタイム通信方式のデータとを直接変換するものとしたが、みなし音声通信方式のデータを介して画像データとリアルタイム通信方式のデータとの変換を行う、即ち、みなし音声通信方式を主とするデータ変換を行うものとしてもよい。こうしても、送受信に要する時間をより短くすることができる。
【００３３】
上述した実施形態では、リアルタイム通信方式のデジタルデータとしてＴ．３８データを用い、みなし音声通信方式のデジタルデータとしてＧ．７１１データを用いるものとしたが、リアルタイム通信方式のデジタルデータやみなし音声通信方式のデジタルデータであれば特にこれに限定されずに用いることができる。
【００３４】
上述した実施形態では、電話番号管理サーバとしてＳＩＰサーバ４０に送信先の情報を問い合わせるものとしたが、ＩＴＵ−Ｔ勧告によるＨ．３２３プロトコルにより端末同士の接続制御を実行するＨ．３２３サーバに送信先の情報を問い合わせるものとしてもよいし、ＥＮＵＭ（Ｔｅｌｅｐｈｏｎｅ  Ｎｕｍｂｅｒ  Ｍａｐｐｉｎｇ）情報を管理するＤＮＳサーバとしてのＥＮＵＭサーバに送信先の情報を問い合わせるものとしてもよい。こうしても、送信先と呼設定処理を行うことができる。
【００３５】
上述した実施形態では、送信モードとして通常送信と同報送信とを選択可能としたが、通常送信のみとしてもよい。また、上述した実施形態では、Ｔ．３０画像データ変換部３２とＴ．３８データ変換部３３とＧ．７１１Ｄ／Ｄ変換部３４とにより画像データとＦＡＸデータとを変換するものとしたが、これらの機能を有する１以上の変換部により画像データとＦＡＸデータとを変換するものとしてもよい。
【００３６】
上述した実施形態では、ＦＡＸ装置２０は、ＦＡＸモデムを備えないものとしたが、ＩＰパケットでＦＡＸ情報を送受信する際にはＦＡＸモデム（アナログデータ）を介さずにＦＡＸ情報を送受信するものとすれば、ＦＡＸモデムを備えるものとし電話回線を介してＦＡＸデータを送受信可能なものとしてもよい。こうしても、ＩＰパケットでＦＡＸデータを送受信する際には、送受信に要する時間をより短くすることができる。
【００３７】
上述した実施形態では、印刷機構２５は、単一感光体方式と中間転写方式とを採用したフルカラーの電子写真方式を採用するものとしたが、プリントヘッド内に設けられた圧電素子又はヒータによりインクカートリッジ内のインクを加圧して記録紙Ｓに向かって吐出するインクジェット方式を採用してもよい。また、読取機構２６は、ラインイメージセンサを走査して原稿を読み取るフラットベッド型のスキャナとしたが、ラインイメージセンサを固定し原稿を搬送してこの原稿上に形成された画像を読み取るタイプのスキャナとしてもよい。
【図面の簡単な説明】
【００３８】
【図１】ＦＡＸシステム１０の構成の概略を示す構成図である。
【図２】ＦＡＸ送信先設定送信実行処理ルーチンのフローチャートである。
【図３】表示部２８ａに表示されるＦＡＸ送信先設定画面８０の説明図である。
【図４】ＦＡＸデータ管理情報２４ａの説明図である。
【図５】ＦＡＸ受信処理ルーチンの一例を表すフローチャートである。
【符号の説明】
【００３９】
１０  ＦＡＸシステム、１２  ＬＡＮ、１４  ルータ、１５  光回線、１６  インターネット、１７  光回線、１８  ＩＰ回線、２０  ＦＡＸ装置、２２  ＣＰＵ、２３  ＲＯＭ、２４  ＲＡＭ、２４ａ  ＦＡＸデータ管理情報、２５  印刷機構、２６  読取機構、２７  ネットワークインタフェース（Ｉ／Ｆ）、２８  操作パネル、２８ａ  表示部、２８ｂ  操作部、２９  バス、３２  Ｔ．３０画像データ変換部、３３  Ｔ．３８データ変換部、３４  Ｇ．７１１Ｄ／Ｄ変換部、３５  呼設定制御部、３６  ジョブ管理部、３７  ユーザパソコン（ＰＣ）、３８  プリンタ、４０  ＳＩＰサーバ、４２  ＣＰＵ、４３  ＲＯＭ、４４  ＲＡＭ、４５  ＨＤＤ、４５ａ  送信先対応情報、４６  ネットワークインタフェース（Ｉ／Ｆ）、５０  ＦＡＸ装置、５１  Ｔ．３８ゲートウェイ、５２  ＦＡＸ装置、５３  ＶｏＩＰゲートウェイ、５４  ＦＡＸ装置、８０  ＦＡＸ送信先設定画面、８１  カーソル、８２  送信モード入力部、８３  送信先表示部。
【図１】
2008283610.tif 000003
【図２】
2008283610.tif 000004
【図３】
2008283610.tif 000005
【図４】
2008283610.tif 000006
【図５】
2008283610.tif 000007